(57)【特許請求の範囲】
【請求項１】
カラオケ演奏手段と、音声入力手段と、映像入力手段と、エフェクト手段と、録画録音手段と、制御手段とを備えるカラオケビデオ記録システムであって、
前記カラオケ演奏手段は、選択されたカラオケ曲の楽音情報を再生して演奏音データを出力し、
前記音声入力手段は、利用者の音声を入力して音声データを出力し、
前記映像入力手段は、利用者の姿を撮影して映像データを出力し、
前記エフェクト手段は、制御手段の制御にしたがって、前記音声入力手段から出力された音声データに所定の音響的効果を付与して出力し、
前記録画録音手段は、制御手段の制御にしたがって、前記カラオケ演奏手段から出力された演奏音データ、前記エフェクト手段から出力された音声データ、前記映像入力手段から出力された映像データを記録用テープに記録し、
前記制御手段は、カラオケ曲が選択された場合、録画録音処理を実行し、
前記録画録音処理は、カラオケ処理とその前後の少なくとも一方に実行されるガイダンス処理を含み、
前記ガイダンス処理は、利用者が音声入力をすべき内容を報知手段を介して利用者に対して報知すると共に、前記エフェクト手段による音響的効果の付与を禁止して前記録画録音手段による記録を実行させ、
前記カラオケ処理は、選択されたカラオケ曲の楽音情報を前記カラオケ演奏手段に演奏させ、前記録画録音手段による記録を実行させる
ことを特徴とするカラオケビデオ記録システム。
【請求項２】
前記制御手段は、カラオケ曲が選択された場合、前記録画録音処理に先立ってリハーサル処理を実行し、
そのリハーサル処理は、前記録画録音処理から前記録画録音手段による記録を除いた処理である
ことを特徴とする請求項１に記載のカラオケビデオ記録システム。
【請求項３】
前記制御手段は、指示入力手段から前記リハーサル処理の終了指示が入力された場合、前記リハーサル処理を中断して前記録画録音処理へ移行する
ことを特徴とする請求項２に記載のカラオケビデオ記録システム。
【発明の詳細な説明】
【０００１】
【発明の属する技術分野】
本発明は、カラオケ演奏の演奏音データ及び利用者の歌唱音声データと、その利用者を撮影した映像データなどを、記録用テープに記録させるようにしたカラオケビデオ記録システムに関するものである。
【０００２】
【従来の技術及び発明が解決しようとする課題】
従来より、例えばカラオケボックスや飲食店等においてカラオケシステムが設置され、伴奏音楽に合わせて歌唱して楽しむことができるようにされている。そして、ＣＲＴ等のモニタに歌詞テロップを表示すると共に、雰囲気を盛り上げるため、その歌詞テロップの背景映像として、カラオケ曲の内容にマッチした映像を表示するといったことが一般に行われている。また、予め準備された映像ではなく、例えばビデオカメラを準備して、歌唱している利用者の姿を撮影し、それを歌詞テロップの背景映像として用いることもなされている。
【０００３】
ところで、カラオケで楽しんでいる自分の姿を音声と映像で記録として残しておきたいと考える場合、あるいは、例えばカラオケ選手権大会や新人歌手発掘のためのオーディションなどにビデオ映像を送る場合には、家庭用ビデオカメラなどをカラオケボックスなどに持参して撮影しなければならなかった。もちろん、物理的には可能であるが、実際には、自分自身で、あるいは他の人に手伝ってもらって録画しなければならない。また、カラオケ演奏音や自分が歌っている歌唱音声はスピーカから発音されたものを録音することとなり、周囲の雑音なども入り、クリアなものとはなり難い。
【０００４】
このような現状に着目し、従来のカラオケ装置を基に工夫することで、利用者がカラオケ演奏を伴奏として歌唱しているところを、映像と音声にて記録した記録用テープを得るという新規サービスを実現するためのシステムなどを提供することを目的とする。
【０００５】
【課題を解決するための手段及び発明の効果】
この目的を達成するためになされた請求項１に記載の発明は、カラオケ演奏手段と、音声入力手段と、映像入力手段と、エフェクト手段と、録画録音手段と、制御手段とを備えるカラオケビデオ記録システムであって、前記カラオケ演奏手段は、選択されたカラオケ曲の楽音情報を再生して演奏音データを出力し、前記音声入力手段は、利用者の音声を入力して音声データを出力し、前記映像入力手段は、利用者の姿を撮影して映像データを出力し、前記エフェクト手段は、制御手段の制御にしたがって、前記音声入力手段から出力された音声データに所定の音響的効果を付与して出力し、前記録画録音手段は、制御手段の制御にしたがって、前記カラオケ演奏手段から出力された演奏音データ、前記エフェクト手段から出力された音声データ、前記映像入力手段から出力された映像データを記録用テープに記録し、前記制御手段は、カラオケ曲が選択された場合、録画録音処理を実行し、前記録画録音処理は、カラオケ処理とその前後の少なくとも一方に実行されるガイダンス処理を含み、前記ガイダンス処理は、利用者が音声入力をすべき内容を報知手段を介して利用者に対して報知すると共に、前記エフェクト手段による音響的効果の付与を禁止して前記録画録音手段による記録を実行させ、前記カラオケ処理は、選択されたカラオケ曲の楽音情報を前記カラオケ演奏手段に演奏させ、前記録画録音手段による記録を実行させることを特徴とする。
【０００６】
このような構成のカラオケビデオ記録システムによれば、カラオケ演奏手段が、選択されたカラオケ曲の楽音情報を再生してカラオケ演奏を実行するため、利用者はそのカラオケ演奏を伴奏として歌唱し、いわゆる「カラオケ」としての利用ができる。そして、利用者の歌唱音声はマイクロフォンなどの音声入力手段を介して入力され、また、例えばテレビカメラなどの映像入力手段によって、歌唱している利用者の姿は撮影され入力される。制御手段は、カラオケ曲が選択された場合、録画録音処理を実行し、その録画録音処理は、カラオケ処理とその前後の少なくとも一方に実行されるガイダンス処理を含んでいる。このカラオケ処理は、選択されたカラオケ曲の楽音情報をカラオケ演奏手段に演奏させ、録画録音手段による記録を実行させる。つまり、演奏音データ、音声データ、映像データを記録用テープに記録させる。このため、利用者は、自分がカラオケ演奏を伴奏として歌唱しているところを、映像と音声にて記録した記録用テープを得ることができる。本発明においては、このようにカラオケ演奏を伴奏として歌唱しているところを映像と音声にて記録したものを「カラオケビデオ」と呼ぶこととする。そして、このカラオケビデオを記録した記録用テープは種々の使い途がある。
【０００７】
（１）例えば、自分が登場しているカラオケビデオを自分自身で再度見ることができるので、単純に自分用の記録として楽しめる。従来において同様のビデオを作成しようとすると、例えば家庭用ビデオカメラをカラオケボックス等に持参し、自分で、あるいは他の人に手伝ってもらって録画録音しなければならず、非常に面倒である。また、家庭用ビデオカメラで記録する場合には、カラオケ演奏音や自分が歌っている歌唱音声はスピーカから発音されたものを録音することとなり、周囲の雑音なども入り、クリアなものとはなり難い。
【０００８】
それに対して、本カラオケビデオ記録システムによれば、利用者は今までカラオケを楽しんできたのと同様にカラオケ演奏を伴奏として歌うだけでよく、カラオケビデオの記録は装置側が自動的に行ってくれるので非常に便利である。また、カラオケ演奏音や自分が歌っている歌唱音声は音声信号状態で直接記録することができ、周囲雑音などに影響されずクリアなものとなる。
【０００９】
（２）また、例えばカラオケ選手権大会や有望な新人歌手発掘のためのオーディションなどにおける審査等が容易にできるようになる。つまり、従来は、参加希望者は自分の歌唱音声を録音機材を用いて音楽テープに記録したり、あるいは家庭用ビデオ装置でビデオテープに録画し、そのテープを大会開催委員会まで送るといった手順が一般的であった。したがって、この場合も、上記（１）と同様に、家庭用ビデオカメラを持参して、自分であるいは他の人に手伝ってもらって録画しなければならなかった。
【００１０】
それに対して、本カラオケビデオ記録システムによれば、上述したようにカラオケビデオの記録は装置側が自動的に行ってくれるので非常に便利であり、カラオケ選手権大会に参加したい人は、このカラオケビデオを記録した記録用テープを送ればよい。また、オーディションに応募するためのプロモ−ションビデオとしても、このカラオケビデオを利用できる。
【００１１】
（３）さらに、自分の姿及び自分の音声が記録されているので、ビデオレター的な使い方も考えられる。特に、音声入力手段を介してメッセージも含めれば十分なビデオレターとなる。何も歌っている場合にしか音声入力手段から音声入力できないわけではなく、カラオケ演奏が始まる前や演奏中、あるいは演奏後においてメッセージなどを入れれば、使途範囲も拡がる。
【００１２】
【００１３】
【００１４】
【００１５】
【００１６】
【００１７】
【００１８】
【００１９】
【００２０】
【００２１】
【００２２】
【００２３】
【００２４】
【００２５】
そして、本発明のカラオケビデオ記録システムにおいては、カラオケ演奏の開始前、終了後の少なくともいずれか一方において、利用者の姿の映像及び利用者の音声も記録するよう構成されているが、このようにしたのは、次の理由からである。例えば、上記（２）のオーディション用のカラオケビデオを作成することを考えると、単にカラオケを歌っている状況だけでなく、例えば自己紹介などをしてからカラオケを歌唱し、歌唱後には歌った感想や自己アピールなどを含めることが好ましい。また、（３）のビデオレター用の場合でも、送る相手に対するメッセージをカラオケ演奏の前後に含めた方が好ましい。
【００２６】
そして、このようにカラオケ演奏以外の部分においても利用者が音声入力手段を介して音声入力する場合には、次のような工夫をしている。つまり、制御手段が実行するガイダンス処理である。このガイダンス処理では、エフェクト手段による音響的効果の付与を禁止して録画録音手段による記録を実行させる。これは、例えば「エコー」や「ボイスチェンジ」などの音響的効果を付与した場合、カラオケについては効果的であるが、上述した感想やメッセージなどを述べる場合にはふさわしくない場合もある。したがって、カラオケ演奏時に限ってエフェクトを有効とするのである。
【００２７】
もちろん、カラオケ演奏以外の部分においても積極的に音響的効果を付与したい場合もあるかもしれないので、マニュアル設定にてそれを可能としてもよい。
また、本発明のカラオケビデオ記録システムにおいては、カラオケ演奏時以外においても利用者の姿や音声を記録する場合には、それを含めることのできる記録タイミングの制御をすると共に、そのタイミングにて利用者が上述した自己紹介や感想を述べることができるよう、装置側からガイダンスする。つまり、制御手段が実行するガイダンス処理では、利用者が音声入力をすべき内容を報知手段を介して利用者に対して報知する。使用方法を説明書などに記載し、それを読んでもらうことを前提としてもよいが、実際の使用時に適切なタイミングでガイダンスした方が不慣れな利用者に対して親切である。このガイダンスとしては、例えばガイダンス内容を表示して視覚に訴えてもよいし、あるいは音声出力して聴覚に訴えてもよい。つまり、利用者に対して、利用者が音声入力すべき内容を、制御手段が報知手段を介して報知する。
【００２８】
また、このようにカラオケ演奏の開始前、終了後の少なくともいずれか一方において、利用者の姿の映像や利用者の音声も記録する場合には、例えばシステム側からの質問に答えることで、自己紹介や感想や自己アピールあるいはメッセージなどを音声入力する点を上述した。しかし、いきなり質問されてもなかなか適切な答えが出てこない場合も想定される。しかし、システム側において、利用者からの回答が遅くなったり全くない場合に適切な対処をさせることは難しい。つまり、あくまで一方的に質問内容などを報知するだけであり、現実的には、回答の有無には関係なく、報知後に所定時間が経過すれば、次の質問内容を報知したり、カラオケ演奏を開始したりする。このように基本的にはやり直しがきかない。その点を鑑みて、請求項２に示すような工夫を加えてもよい。つまり、カラオケ曲が選択された場合、制御手段が録画録音処理に先立って「録画録音処理から前記録画録音手段による記録を除いた処理である」リハーサル処理を実行するのである。
【００２９】
このようにすれば、記録自体はしないが、記録する場合と同様の手順にて所定の処理を実行するため、利用者がリハーサルを体験できる。
【００３０】
なお、このリハーサルについては、上述した事情を鑑みると、利用者が質問に答えるような部分は本番通りに行うことが望ましいが、カラオケ演奏については適宜省略してもよい。例えば前奏（イントロ）部分が極端に長い場合には短くしてもよいし、演奏自体も１番のみ演奏するだけでもよい。
【００３１】
また、このシステムにおいては、請求項３に示すように、利用者がリハーサル終了の指示を入力するための指示入力手段を備え、リハーサル制御手段は、指示入力手段によってリハーサル終了指示が入力された場合には、リハーサルが途中であっても強制的に終了させるようにしてもよい。例えば何度も利用している利用者にとっては、リハーサルをする必要がないと考える場合もあり、その場合には利用者の意志で終了させられる方が便宜上好ましい。
【００３２】
ところで、当然ではあるが、上述した（１）〜（３）にて例示したように、使い途に応じてカラオケビデオ記録システム側の処理も異なってくる。したがって、使い途に応じた最適のシナリオのカラオケビデオを作成できるよう、予め準備された複数のモードの中から利用者が自ら選択指示できるように構成しても良い。例えば、自分がコンサートの主人公になったようなカラオケビデオを作成しようとする場合には、コンサートのオープニング映像やエンディング映像を予め装置内に記憶しておき、その映像をカラオケビデオ中に用いることもできる。その場合には、例えばロック、ポップス、演歌というような曲のジャンルによって映像内容を変えておくこともできる。また、ビデオレターであれば、誰に送るのかによって全体のシナリオを変えておくこともできる。したがって、記録タイプに応じてどのような内容がふさわしいかを基準として用いる映像を決めておくのである。もちろん、映像だけでなくＢＧＭや利用者の音声も含める場合にも同様の考慮をすればよい。
【００３３】
【発明の実施の形態】
以下、本発明が適用された実施例について図面を用いて説明する。なお、本発明の実施の形態は、下記の実施例に何ら限定されることなく、本発明の技術的範囲に属する限り、種々の形態を採り得ることは言うまでもない。
【００３４】
まず、図１，２を参照して、実施例としてのカラオケビデオ記録システムの構成を説明する。本実施例のカラオケビデオ記録システムは、コマンダ１と、録画制御装置５０と、ＶＴＲ装置７０などを備えている。なお、これらは全て一体化して構成することもできるが、ここでは、従来からカラオケ装置として普及しているコマンダ１と、例えばテレビ番組などを録画し、再生するため家庭用としても普及している通常のＶＴＲ装置７０を用いた構成例として説明する。
【００３５】
コマンダ１は、図示しないホストコンピュータから通信によって配信される字幕情報及びＭＩＤＩデータからなる演奏データをデータ圧縮して記憶している。ホストコンピュータとの通信は、公衆回線網を使用して両装置を接続した上で、演奏データを、送信側であるホストコンピュータはモデム部１１によって変調して出力し、受信側であるコマンダ１はモデム部１１によって信号を復調して受信することで行っている。利用者からの曲の演奏指定に対して前記圧縮処理された演奏データを読み出して、演奏開始前に復元処理し、演奏中に字幕情報をディスプレイで表示するための映像信号に、またＭＩＤＩ（Musical Instrument Digital Interface）データを音声信号にそれぞれ変換して、字幕の色変えに同期して音声信号を再生することでカラオケ演奏を行う。
【００３６】
録画制御装置５０は、コマンダ１とＶＴＲ装置７０との間に介在し、コマンダ１から出力された音声あるいは映像データをＶＴＲ装置７０側へ出力したり、あるいはコマンダ１からの指示に応じてＶＴＲ装置７０を制御する。
また、ＶＴＲ装置７０は、録画制御装置５０から出力された音声あるいは映像データを、ビデオテープ１００に録画録音することができる。また、ビデオテープ１００を再生したり、早送りしたり、巻き戻したりすることができる。これらは録画制御装置５０からの制御信号に応じて実行する。
【００３７】
続いて、各装置の具体的な構成を説明する。
まず、コマンダ１の構成を図１を参照して説明する。
コマンダ１は、「カラオケ演奏手段」に相当し、さらに「録画録音手段」の一部や「制御手段」の一部としても機能するものであって、マイクロコンピュータ（以下「マイコン」と略記する）１０と、モデム部１１と、操作パネル１２と、カレンダクロック１３と、ハードディスクドライブ（以下「ＨＤＤ」と略記する）１４と、通信部１５と、外付けのマイクロフォン２１からの音声信号を入力する音声入力部２２と、採点装置２３と、ＭＩＤＩ再生部２４と、音声制御部２５と、外付けのスピーカ２７へ音声を出力する音声出力部２６と、外付けのビデオカメラ３１からの映像信号を入力する映像入力部３２と、映像データ作成装置３３と、映像制御部３４と、外付けのディスプレイ３６に対して映像信号を出力する映像出力部３５と、を備えている。
【００３８】
なお、前記マイコン１０は、コマンダ全体の制御を司る制御手段であり、ＣＰＵ、ＲＯＭ、ＲＡＭなどを備える周知の構成である。
前記モデム部１１の役割については上述したが、ホストコンピュータへの送信機能も備えており、電話回線の接続及び切断、送信データの音声帯域信号への変調、音声帯域信号で受信したデータの復調を行う。
【００３９】
操作パネル１２は、「指示入力手段」としても機能し、利用者からのモード選択や曲番号の指定などを受け付けるためのもので、選曲中の番号を表示するための表示部も備えている。なお、選択できるモードとしては、本実施例の場合は少なくとも通常のカラオケモードとカラオケビデオ記録モードがあり、もちろんそれ以外のモードを備えていてもよい。モード選択は、専用の指定キーを設けてもよいが、演奏したい曲の番号はテンキーを用いて入力するようになっているので、モード選択も、テンキーを用いて行うようにすればよい。なお、選択したデータを確定入力するための確認キーは設けられている。
【００４０】
また、カレンダクロック１３は、現在日付、現在時刻を常にカウントしていて、マイコン１０に通知する。
ＨＤＤ１４は、ホストコンピュータから送られてくる演奏データを蓄積記憶すると共に、詳しくは後述するが静止画データも備えている。
【００４１】
通信部１５は、録画制御装置５０側の通信部５２（図２に示す）と通信ライン（例えばＲＳ２３２Ｃ）によって接続されており、コマンダ１側のマイコン１０と録画制御装置５０側のマイコン５５（図２に示す）との間でのデータ通信を実現するためのものである。
【００４２】
また、ＭＩＤＩ再生部２４は、演奏データ中のＭＩＤＩデータをアナログ音声信号に変換して音声制御部２５へ出力する。この音声制御部２５へは、マイクロフォン２１からの音声信号も音声入力部２２を介して入力されており、音声制御部２５は、ＭＩＤＩ再生部２４で生成された音声信号と、マイクロフォン２１側から入力された音声信号をミキシングして増幅し、音声出力部２６を介して録画制御装置５０側の音声入力部５１（図２に示す）へ出力する。
【００４３】
なお、「音声入力手段」の一部として機能するマイクロフォン２１から入力された音声信号は、採点装置２３にも入力されており、この採点装置２３において採点が実行される。具体的には、カラオケ演奏時にマイコン１０から採点情報としてのボーカル情報が転送され、このボーカル情報とマイクロフォン２１から入力された音声信号とに基づいて歌唱力を採点する。この採点方法としては、例えば音程の変化・リズム等を採点要素として歌唱音声をボーカル情報と比較し、歌唱音声がどの程度ボーカル情報に近いかによって採点することが考えられる。音程要素であれば、例えば所定時間毎に両者の一致具合いなどをカウントし、そのカウント数に基づいて得点を決定したりする。最初の持ち点を１００点として、それから減点していく方法も考えられる。このように、所定の採点タイミングで採点された歌唱得点は、採点装置２３内のメモリ（図示せず）に更新されながら記憶される。
【００４４】
一方、「映像入力手段」の一部として機能するビデオカメラ３１は、歌唱者の姿を撮影するためのものであり、ビデオカメラ３１で撮影した映像は映像入力部３２を介して映像データ作成装置３３へ送られ、この映像データ作成装置３３において所定の映像データ化されてマイコン１０に送られることとなる。そして、この映像データは映像制御部３４へ送られる。
【００４５】
映像制御部３４は、演奏データ中の字幕データをＭＩＤＩ再生部２４での演奏処理に同期してディスプレイ３６にて表示可能な映像信号に変換し、上述の歌唱者の姿を撮影した映像データを背景映像とし、それに字幕データをスーパーインポーズする。そして、映像出力部３５を介して録画制御装置５０側の映像入力部５３（図２に示す）へ出力する。
【００４６】
次に、録画制御装置５０について説明する。
図２に示すように、録画制御装置５０は、コマンダ１の音声出力部２６から出力された音声信号を入力するための音声入力部５１と、コマンダ１側の通信部１５と通信ラインにて接続された通信部５２と、コマンダ１の映像出力部３５から出力された映像信号を入力するための映像入力部５３と、出力調整部５４と、マイコン５５と、リモコン発光部５６と、ＶＴＲ装置７０側へ音声信号を出力する音声出力部５７と、同じくＶＴＲ装置７０側へ映像信号を出力する映像出力部５８と、ＶＴＲ装置７０側から出力された音声信号を入力するためのＤＴＭＦレシーバ５９と、音声入力部５１を介してコマンダ１側から入力された音声信号をスピーカ２７に出力するための音声出力部６１と、その音声出力部６１からの出力とＶＴＲ装置７０側から出力された音声信号とのいずれかを選択切替してスピーカ２７へ出力するための音声信号用のセレクタ６２と、映像入力部５３を介してコマンダ１側から入力された映像信号をディスプレイ３６に出力するための映像出力部６３と、その映像出力部６３からの出力とＶＴＲ装置７０側から出力された映像信号とのいずれかを選択切替してディスプレイ３６へ出力するための映像信号用のセレクタ６４と、を備えている。
【００４７】
前記マイコン５５は、録画制御装置全体の制御を司る制御手段であり、ＣＰＵ、ＲＯＭ、ＲＡＭなどを備える周知の構成である。また、図２には示していないが、このマイコン５５は、音声信号用のセレクタ６２及び映像信号用のセレクタ６４を制御することができる。したがって、音声入力部５１を介してコマンダ１側から入力された音声信号あるいはＶＴＲ装置７０側から出力された音声信号とのいずれかを選択切替してスピーカ２７へ出力させることができ、また、映像入力部５３を介してコマンダ１側から入力された映像信号あるいはＶＴＲ装置７０側から出力された映像信号のいずれかを選択切替してディスプレイ３６へ出力させることができる。なお、ディスプレイ３６は「報知手段」としても機能する。  また、コマンダ１側から音声入力部５１及び映像入力部５３を介して入力された音声信号及び映像信号は、出力調整部５４にてＶＴＲ装置７０側で処理できる形式に調整された後、音声出力部５７及び映像出力部５８を介してＶＴＲ装置７０側へ出力される。
【００４８】
そして、リモコン発光部５６は、ＶＴＲ装置７０側のリモコン受光部７４と発光ケーブルによって接続されており、録画制御装置５０のマイコン５５からの制御信号を赤外線信号としてＶＴＲ装置７０へ送信する。なお、発光ケーブルにて接続したのは、録画制御装置５０とＶＴＲ装置７０との位置関係の制限を排除するためである。つまり、発光ケーブルがない場合には、リモコン発光部５６から発光された赤外線ビームがＶＴＲ装置７０側のリモコン受光部７４へ到達するような配置をしなければならないため、自ずと位置が制限される。それに対して発光ケーブルによって接続すれば、例えばＶＴＲ装置７０の側面にリモコン受光部７４があった場合でも、録画制御装置５０自体をＶＴＲ装置７０の上部に載置することもでき、配置が制限されないのである。
【００４９】
次に、ＶＴＲ装置７０について説明する。
ＶＴＲ装置７０は、一般に普及している周知のものであるので詳しくは説明しないが、ここではいわゆる録画及び再生の両方ができるタイプのものが必要である。図２においては、録画制御装置５０側から出力された音声信号を入力するための音声入力部７１と、同じく録画制御装置５０側から出力された映像信号を入力するための映像入力部７２と、ビデオテープ１００を再生した場合に再生された音声信号を録画制御装置５０側へ出力するための音声出力部７３と、同じくビデオテープ１００を再生した場合に再生された映像信号を録画制御装置５０側へ出力するための映像出力部７５と、上述した録画制御装置５０側のリモコン発光部５６と発光ケーブルにて接続されたリモコン受光部７４のみを示している。しかし、当然ながら、ビデオテープ１００に対しての録画・録音機能及び再生・早送り・巻き戻し機能を実行するためのテープ駆動機構や制御機構を備えている。これらに関しては、一般的な構成であるのでここでは特に説明しないが、早送り・巻き戻し機能について補足説明しておくと、これらは同じ速度で早送り及び巻き戻しがなされるようにされている。
【００５０】
続いて、ビデオテープ１００について説明する。
ビデオテープ１００は、「記録用テープ」に該当するものであり、このカラオケビデオ記録システムにおけるカラオケビデオの録画専用に作成されたものである。本実施例の場合には、図１１に示すように、記録時間が１０分である。なお、上述したＶＴＲ装置７０にてこのビデオテープ１００を早送りあるいは巻き戻した場合、いずれの場合も約４０秒で早送りあるいは巻き戻されるようになっている。
【００５１】
テープの映像記録部分は、例えばいわゆる「ブルーバック」になるような映像かあるいは広告用映像が記憶されている。これは、後述するテープ種別によって広告用映像の記憶の有無や広告内容が異なっている。
一方、テープの音声記録部分には、テープ最初から所定時間（例えば１０秒間）は信号Ａが記録され、テープ最初から３０秒間再生した位置には信号Ｂが所定時間（例えば３０秒間）記録されている。この信号Ａは「識別信号」に相当し、信号Ｂが「第２の識別信号」に相当する。これら信号Ａ及びＢは、共にＤＴＭＦ信号として記録されている。
【００５２】
ＤＴＭＦ信号は、音声周波数帯域の２つの周波数を組み合わせた混合サイン波形信号である。図１２に、ＤＴＭＦ信号の周波数構成を示す。高群周波数は、１２０９Ｈｚ，１３６６Ｈｚ，１４７７Ｈｚ，１６３３Ｈｚの４つであり、低群周波数は、６９７Ｈｚ，７７０Ｈｚ，８５２Ｈｚ，９４１Ｈｚの４つである。これらの組み合わせによって、０〜９の数字、Ａ〜Ｄの英字、＊，＃の記号を表すことができる。この高群・低群の周波数構成は、音楽や音声に多く現れる調波関係をなるべく避けるよう設定されている。
【００５３】
信号Ａは、１桁あるいは２桁以上の数字などを表しており、この数字などによって、少なくともテープ種別が表されている。また、場合によってはテープの有効期間も表されている。本実施例では、テープ種別として３種類が設定されている。具体的には、タイプＡ，Ｂ，Ｃの３種類であり、これらはそれぞれ一般的な個人記録用、オーディション用、ビデオレター用として設定されている。この内、個人記録用及びオーディション用には映像記録部分に広告が記録されており、ビデオレター用には広告は記録されていない。そして、ビデオレター用は広告が記録されていないので、テープ価格が１０００円とされている。一方、オーディション用の場合には、そのオーディションを開催しているレコード会社などの広告が入れられており、その代わりにテープ価格が無料である。つまりテープ価格の全部をその広告料として転嫁させている。また、個人記録用の場合には、カラオケ店舗自体あるいは関連会社の広告が入れられており、テープ価格が５００円とされている。このように、広告が入れられていることによって、テープ価格の一部あるいは全部が広告主に転嫁され、その分、テープ価格が低くなる。但し、ビデオレター用の場合にはカラオケビデオを作成した状態で広告が入っているのが趣がないと考えることもできる。したがって、利用者は、広告の有無や内容、テープ価格を比較考量して選択すればよい。
【００５４】
また、信号Ｂは、本実施例では信号Ａの補数を表している。なお、この信号Ｂについては、例えば単数表を用いた独自の暗号化データであってもよい。
続いて、本実施例のカラオケビデオ記録システムにおける動作について説明する。
【００５５】
図３は、コマンダ１において実行されるメイン処理を示すフローチャートである。
電源投入後、最初のステップＳ１０では、マイコン１０内のＲＡＭの初期化、モデム部１１、ＭＩＤＩ再生部２４、映像データ作成装置３３、映像制御部３４の初期化など装置全体の初期化を行う。
【００５６】
続くＳ２０では、操作パネル１２が操作されてカラオケモードの指定がなされているかチェックする。カラオケモードが指定されていれば（Ｓ２０：ＹＥＳ）、Ｓ３０へ移行して利用者から指定された曲を演奏処理する周知のカラオケ処理を実行する。このカラオケ処理自体は、特に主要な部分ではないので、詳しい説明は省略する。
【００５７】
一方、カラオケモードが指定されていなければ（Ｓ２０：ＮＯ）、Ｓ４０へ移行する。Ｓ４０では、操作パネル１２が操作されてカラオケビデオ録画モードの指定がなされているかチェックする。カラオケビデオ録画モードが指定されていれば（Ｓ４０：ＹＥＳ）、Ｓ５０へ移行してカラオケビデオ録画処理を実行する。このカラオケビデオ録画処理が主要な部分であるので、後で詳しく説明する。
【００５８】
一方、カラオケビデオ録画モードでなければ（Ｓ４０：ＮＯ）、Ｓ６０へ移行して、他のモードであるかどうか判断する。その他のモードが指定されていれば（Ｓ６０：ＹＥＳ）、対応する処理を実行してから（Ｓ７０）、Ｓ２０へ戻り、そうでなければ（Ｓ６０：ＮＯ）、そのままＳ２０へ戻る。
【００５９】
それでは、次に、上述したＳ５０にて実行されるサブルーチンでありカラオケビデオ記録処理の内容を図４〜図８のフローチャートを参照して説明する。
図４のフローチャートの最初のステップＳ１１０では、ディスプレイ３６に「テープをセットして下さい」というテープセットを促す指示メッセージを表示させるための処理を行う。具体的には、その指示メッセージ表示用の映像を映像出力部３５から録画制御装置５０へ出力し、通信部１５を介して録画制御装置５０側へ指示メッセージの表示を指令する。録画制御装置５０側においては、映像入力部５３がコマンダ１から出力された映像を入力し、映像出力部６３を介してセレクタ６４へ出力する。また、マイコン５５は、コマンダ１からの指示メッセージの表示指令を通信部５２を介して受け、セレクタ６４を映像出力部６３側に切り替える。したがって、コマンダ１から出力された「テープをセットして下さい」というテープセットを促す指示メッセージはディスプレイ３６に表示されることとなる。
【００６０】
同メッセージ出力後、Ｓ１２０へ移行する。Ｓ１２０では、さらにディスプレイ３６に「テープセット後、確認キーを操作して下さい」というテープセット確認を促す指示メッセージを表示する。この表示がなされるまでのメッセージデータ及び指令データの流れはＳ１１０の場合と同様である。
【００６１】
同メッセージ出力後、Ｓ１３０へ移行する。Ｓ１３０では、操作パネル１２上の確認キーが押下されているかをチェックする。確認キーの押下を検出したら（Ｓ１３０：ＹＥＳ）、Ｓ１４０へ移行する。
Ｓ１４０では、通信部１５を介して録画制御装置５０側にテープチェックの開始を指示する。テープチェックの開始指示を受けた録画制御装置５０では、図９，１０のフローチャートに示す処理を実行し、コマンダ１側に所定の返答、具体的にはテープ種別、テープエラーあるいはテープＯＫを返答して来る。なお、この詳しい処理内容については後述することとして、図４のフローチャートの説明を続行する。
【００６２】
続くＳ１５０では、ディスプレイ３６に「お待ち下さい」というメッセージを表示させ、Ｓ１６０では、その表示させている間に録画制御装置５０から返答があるかどうかを判断する。返答があれば（Ｓ１６０：ＹＥＳ）、Ｓ１７０へ移行して、その返答がテープ種別であるかどうかを判断する。詳しくは後述するが、録画制御装置５０から返答がされた場合に、返答内容がテープ種別でなければテープエラーである。したがって、返答内容がテープ種別でない場合は（Ｓ１７０：ＮＯ）、Ｓ１８０へ移行してテープエラーであることをディスプレイ３６に表示し、そのまま本処理ルーチンを終了する。この場合は正規のテープが使用されていないため、例えば管理者などの専門の知識を持った者が所定の処理をしない限り通常処理ができないようにされる。不正使用が実行されたのであり、そのまま放置しておくことは適切でないからである。
【００６３】
一方、返答内容がテープ種別である場合は（Ｓ１７０：ＹＥＳ）、Ｓ１８０へ移行し、その返答されたテープ種別に従ったタイプ選択を促す指示メッセージをディスプレイ３６に表示させる。具体的には、ディスプレイ３６に、選択可能な記録タイプを表示すると共に、「記録タイプを選択し、選択後確認キーを操作して下さい」というメッセージを表示する。
【００６４】
上述したように、テープ種別としてはＡ（一般的な個人記録用）、Ｂ（オーディション用）、Ｃ（ビデオレター用）の３つがある。この場合、テープ種別Ｂのオーディション用テープは、オーディションに用いることを前提としてテープ価格を無料としているので、オーディション専用とすることが好ましい。一方、テープ種別Ｃのビデオレター用テープは広告がないため１０００円であり、広告が入ったテープ種別Ａの個人記録用テープの５００円より高価である。しかし、実際にはビデオレターとして用いたとしても、広告入りのテープ種別Ａのテープで構わないと考える利用者もいる。したがって、テープ種別Ｂが返答された場合には、記録タイプとしてもオーディション用しか選択できないようにし、それ以外については、一応、どのような記録タイプも選択できるようにすることが考えられる。また、記録タイプとしては、ビデオレター用の中でさらに細分化してもよい。例えば恋人に送る場合、家族に送る場合、友人に送る場合などによってシナリオを変えることはより適切であると考えられるからである。また、個人記録用についても、例えば歌う曲のジャンルが例えばロック、ポップス、演歌といった違いによってもやはりシナリオを変えることがより適切であると考えられるからである。
【００６５】
そして、いずれかを選択入力した後は、確認キーを操作をする旨も表示する。なお、各タイプの簡単な説明も同時表示させてもよい。同メッセージ出力後、Ｓ２００へ移行する。
Ｓ２００では、操作パネル１２上の確認キーが押下されているかをチェックする。確認キーの押下を検出したら（Ｓ２００：ＹＥＳ）、Ｓ２１０（図５参照）へ移行する。
【００６６】
Ｓ２１０では、ディスプレイ３６に「曲番号を入力し、入力後確認キーを操作して下さい」という曲番号入力を促す指示メッセージを表示させる。同メッセージ出力後、Ｓ２２０へ移行する。
Ｓ２２０では、操作パネル１２上の確認キーが押下されているかをチェックする。確認キーの押下を検出したら（Ｓ２２０：ＹＥＳ）、Ｓ２３０へ移行する。
【００６７】
Ｓ２３０では、上述したＳ１９０，Ｓ２００での処理において利用者から入力されている記録タイプがＡ，Ｂ，Ｃのいずれであるかを判定する。タイプＡであれば、Ｓ２４０へ移行してタイプＡのリハーサル処理ルーチンを実行し、タイプＢであれば、Ｓ２５０へ移行してタイプＢのリハーサル処理ルーチンを実行し、タイプＣであれば、Ｓ２６０へ移行してタイプＣのリハーサル処理ルーチンを実行する。これらについては図６を参照して後で詳しく説明する。
【００６８】
Ｓ２４０，Ｓ２５０，Ｓ２６０の処理後はＳ２７０へ移行し、通信部１５を介して録画制御装置５０側へ録画開始指示を出す。その後Ｓ２８０へ移行する。
Ｓ２８０では、再度、記録タイプがＡ，Ｂ，Ｃのいずれであるかを判定し、タイプＡであれば、Ｓ２９０へ移行してタイプＡの本番処理ルーチンを実行し、タイプＢであれば、Ｓ３００へ移行してタイプＢの本番処理ルーチンを実行し、タイプＣであれば、Ｓ３１０へ移行してタイプＣの本番処理ルーチンを実行する。これらについては図７を参照して後で詳しく説明する。
【００６９】
Ｓ２９０，Ｓ３００，Ｓ３１０の処理が終了した後は、Ｓ３２０へ移行する。Ｓ３２０では、通信部１５を介して録画制御装置５０側へ録画終了指示を出す。これで本カラオケビデオ録画処理ルーチンを一旦終了し、図３のメインルーチンへ復帰する。
【００７０】
それでは、上述したＳ２４０，Ｓ２５０，Ｓ２６０にて実行されるリハーサル処理ルーチンについて図６のフローチャートを参照して説明する。図６は各タイプに共通して実行される処理である。もちろん、タイプの違いに応じて各ステップの具体的内容は異なる場合もあるが、本実施例ではリハーサル処理がどのような手順で実行されるかを示すことを主眼としているので、タイプ別には説明しない。
【００７１】
まず、図６のフローチャートの最初のステップＳ４１０では、各記録タイプに応じたタイトル表示を行う。このタイトル表示用の画像データと必要ならＢＧＭ用の楽音データは、ＨＤＤ１４に予め記憶させておく。なお、このタイトル表示には日付を入れることも考えられる。この場合には、カレンダクロック１３からのデータに基づいて、マイコン１０から映像制御部３４へ日付用のデータを送り、タイトル画面に合成させればよい。
【００７２】
そして、続くＳ４２０にてカラオケ演奏時に有効となる音響的効果機能（エフェクタ）を解除する。
Ｓ４２０にてエフェクタ解除した後は、Ｓ４３０へ移行して、カメラ映像への切替を行う。これは、ビデオカメラ３１にて撮影した利用者の姿の映像を出力するように、映像制御部３４を制御する。
【００７３】
そして、続くＳ４４０では、映像制御部３４を制御することで、ディスプレイ３６に「自己紹介して下さい」という利用者に対して自己紹介を促す指示メッセージを表示させる。同メッセージ出力後、Ｓ４５０では、終了指示入力があるかどうかを判断する。これは、操作パネル１２において所定の終了指示操作がなされたかどうかを判断するものであり、もしも終了指示入力があれば（Ｓ４５０：ＹＥＳ）、図７に示すＳ５６０へ移行する。終了指示入力がなければ（Ｓ４５０：ＮＯ）、Ｓ４６０へ移行し、所定時間Ｔ１が経過したかどうかを判断する。そして、所定時間Ｔ１が経過するまでは（Ｓ４６０：ＮＯ）、Ｓ４５０での終了指示入力があるかどうかの判断を続け、所定時間Ｔ１が経過すると（Ｓ４６０：ＹＥＳ）、Ｓ４７０へ移行する。なお、Ｓ４４０での自己紹介を促す表示をする場合には、例えば「残り時間は○秒です」というような表示を加えてもよい。利用者としてはどの程度残り時間があるか判らないからである。
【００７４】
Ｓ４７０では、Ｓ４２０にて解除したエフェクタを復帰させる。そして、Ｓ４８０にて、選択された曲の演奏を開始し、図７に示すＳ４９０へ移行する。
Ｓ４９０では、Ｓ４５０と同様、終了指示入力があるかどうかを判断する。終了指示入力がなければ（Ｓ４９０：ＮＯ）、Ｓ５００へ移行し、所定時間Ｔ２が経過したかどうかを判断する。そして、所定時間Ｔ２が経過するまでは（Ｓ５００：ＮＯ）、Ｓ４９０での終了指示入力があるかどうかの判断を続け、所定時間Ｔ２が経過すると（Ｓ５００：ＹＥＳ）、Ｓ５１０へ移行する。なお、この所定時間Ｔ２は、例えばリハーサルが終了するまでの時間としてもよい。
【００７５】
Ｓ５１０では、テープチェックが終了したかどうかを判断する。図４のＳ１４０において録画制御装置５０側にテープチェックの開始を指示したが、このテープチェックの開始指示を受けた録画制御装置５０では、図９，１０のフローチャートに示す処理を実行し、Ｓ９８０，Ｓ９９０に示すように、コマンダ１側に「テープＯＫ」か「テープエラー」を返答して来る。したがって、この返答があるかないかで「テープチェックが終了したかどうか」を判断する。
【００７６】
テープチェックが終了していない場合には（Ｓ５１０：ＮＯ）、Ｓ４９０へ戻って、終了指示入力があるかどうかの判断を繰り返す。なお、ここで終了指示がない場合にはＳ５００へ移行するが、この場合には既に所定時間Ｔ２が経過しているので、必ずＳ５１０へ移行することとなる。
【００７７】
そして、テープチェックが終了した場合には（Ｓ５１０：ＹＥＳ）、Ｓ５２０へ移行し、カラオケ演奏を停止させる。そして、録画制御装置５０からの返答に基づいてテープＯＫかどうかを判断し（Ｓ５３０）、テープＯＫであれば（Ｓ５３０：ＹＥＳ）、本リハーサル処理ルーチンを終了して、図５のＳ２７０へ移行する。一方、テープＯＫでなければ（Ｓ５３０：ＮＯ）、Ｓ５４０に移行し、警告画面表示をディスプレイ３６に表示し、そのまま本処理を終了する。この場合も図４のＳ１８０と同様、例えば管理者などの専門の知識を持った者が所定の処理をしない限り通常処理ができないようにされる。不正な使用が実行された可能性があるのであり、そのまま放置しておくことは適切でないからである。
【００７８】
また、Ｓ４９０にて終了指示入力があった場合には、Ｓ５５０へ移行してカラオケ演奏を停止させ、続くＳ５６０においてテープチェックが終了したかどうかを判断する。テープチェックが終了していない場合には（Ｓ５６０：ＮＯ）、Ｓ５７０へ移行して、ディスプレイ３６に「お待ち下さい」という画面表示を出してからＳ５６０へ戻る。なお、上述したＳ４５０にて終了指示入力があった場合には、Ｓ５６０へ移行する。つまり、リハーサル処理として、基本的には本番に近い処理を行うが、利用者の意図で強制的に終了させることができるようにされている。
【００７９】
次に、上述した図５のＳ２９０，Ｓ３００，Ｓ３１０にて実行される本番処理ルーチンについて図８のフローチャートを参照して説明する。図８は各タイプに共通して実行される処理である。もちろん、この場合も上述したリハーサルの場合と同様に、タイプの違いに応じて各ステップの具体的内容は異なる場合もあるが、本実施例では本番処理がどのような手順で実行されるかを示すことを主眼としているので、タイプ別には説明しない。
【００８０】
まず、図８のフローチャートの最初のステップＳ６１０では、各記録タイプに応じたタイトル表示を行い、続くＳ６２０にてカラオケ演奏時に有効となる音響的効果機能（エフェクタ）を解除する。
Ｓ６２０にてエフェクタ解除した後は、Ｓ６３０へ移行して、カメラ映像への切替を行い、続くＳ６４０では、ディスプレイ３６に「自己紹介して下さい」という利用者に対して自己紹介を促す指示メッセージを表示させる。
【００８１】
同メッセージ出力後、Ｓ６５０では所定時間Ｔ１が経過したかどうかを判断する。そして、所定時間Ｔ１が経過すると（Ｓ６５０：ＹＥＳ）、Ｓ６６０へ移行し、Ｓ６２０にて解除したエフェクタを復帰させる。そして、Ｓ６７０にて、選択されたカラオケ曲の演奏が開始され、終了する。
【００８２】
その後、Ｓ６８０において、カラオケ演奏時に有効となっていたエフェクタを解除し、続くＳ６９０では、利用者に対して歌った感想などを述べることを促す指示メッセージをディスプレイ３６に表示させる。
同メッセージ出力後、Ｓ７００では所定時間Ｔ３が経過したかどうかを判断し、所定時間Ｔ３が経過すると（Ｓ７００：ＹＥＳ）、この本番処理ルーチンを終了して、図５のＳ３２０へ移行する。
【００８３】
ところで、上述した図４のＳ１４０においては録画制御装置５０側にテープチェックの開始を指示した。そして、テープチェックの開始指示を受けた録画制御装置５０では、所定の処理を実行した後、コマンダ１側にテープ種別を返答したり、テープＯＫやテープエラーを返答すると説明した。この詳しい処理内容について、図９，１０のフローチャートを参照して説明する。
【００８４】
図９の最初のステップＳ８１０では、ＶＴＲ装置７０に対して巻き戻し（ＲＥＷ）指示を出す。なお、この指示はリモコン発光部５６を介して出力する。そして、続くＳ８２０にて６０秒待機した後、続くＳ８３０では、ＶＴＲ装置７０に対して停止（ＳＴＯＰ）指示を出し、続けて再生（ＰＬＡＹ）指示を出す。
【００８５】
この後、信号Ａを検出できたかどうかを判断する。図１１を参照して上述したように、ビデオテープ１００は記録時間が１０分であり、テープの最初から所定時間分は信号Ａが記録されている。したがって、Ｓ８３０での再生指示に応じて信号Ａが再生されると、ＶＴＲ装置７０の音声出力部７３から出力されて録画制御装置５０のＤＴＭＦレシーバ５９に入力し、ＤＴＭＦレシーバ５９にて検知される。録画制御装置５０のマイコン５５はこのＤＴＭＦレシーバ５９での検知信号に基づいて信号Ａが検出できたかどうかを判断する。
【００８６】
信号Ａが検出できない場合には（Ｓ８４０：ＹＥＳ）、Ｓ８５０へ移行して、所定時間Ｔ４を経過したかどうか、つまりタイムアウトかどうかを判断する。例えば２０秒程度をタイムアウト判定のための所定時間Ｔ４として設定しておく。タイムアウトでなければ（Ｓ８５０：ＮＯ）、Ｓ８４０へ戻り、タイムアウトとなった場合には（Ｓ８５０：ＹＥＳ）、図１０のＳ９９０へ移行し、「テープエラー」をコマンダ１側へ返答する。
【００８７】
一方、信号Ａが検出できた場合には（Ｓ８４０：ＹＥＳ）、Ｓ８６０へ移行して、その信号Ａに基づいて得た「テープ種別」をコマンダ１側へ返答する。その後、Ｓ８７０へ移行して、ＶＴＲ装置７０に対して停止（ＳＴＯＰ）指示を出し、続けて早送り（ＦＦ）指示を出す。そしてＳ８８０にて１２０秒待機した後、続くＳ８９０では、ＶＴＲ装置７０に対して停止（ＳＴＯＰ）指示を出し、続けて巻き戻し（ＲＥＷ）指示を出す。そしてＳ９００にて６０秒待機した後、続くＳ９１０でＶＴＲ装置７０に対して停止（ＳＴＯＰ）指示を出し、続けて再生（ＰＬＡＹ）指示を出す。
【００８８】
この後、Ｓ９２０にて３０秒待機してから、続くＳ９３０において、信号Ｂを検出できたかどうかを判断する。図１１を参照して上述したように、ビデオテープ１００は記録時間が１０分であり、テープの最初から３０秒再生した部分から所定時間分だけ信号Ｂが記録されている。したがって、信号Ｂが再生されると、ＶＴＲ装置７０の音声出力部７３から出力されて録画制御装置５０のＤＴＭＦレシーバ５９に入力し、ＤＴＭＦレシーバ５９にて検知される。録画制御装置５０のマイコン５５はこのＤＴＭＦレシーバ５９での検知信号に基づいて信号Ｂが検出できたかどうかを判断する。なお、上述したようにこの信号Ｂは信号Ａにて表している数字の補数が設定されている。したがって、信号Ｂの表している数字が既に判っている信号Ａの表す数字の補数でなければ、適切な信号Ｂを検出できないと判断する。
【００８９】
信号Ｂが検出できない場合には（Ｓ９３０：ＹＥＳ）、Ｓ９４０へ移行して、所定時間Ｔ５を経過したかどうか、つまりタイムアウトかどうかを判断する。例えば９０秒程度をタイムアウト判定のための所定時間Ｔ５として設定しておく。タイムアウトでなければ（Ｓ９４０：ＮＯ）、Ｓ９３０へ戻り、タイムアウトとなった場合には（Ｓ９４０：ＹＥＳ）、Ｓ９９０へ移行し、「テープエラー」をコマンダ１側へ返答する。
【００９０】
一方、信号Ｂが検出できた場合には（Ｓ９３０：ＹＥＳ）、Ｓ９５０へ移行して、ＶＴＲ装置７０に対して停止（ＳＴＯＰ）指示を出し、続けて巻き戻し（ＲＥＷ）指示を出す。そしてＳ９６０にて３０秒待機した後、続くＳ９７０でＶＴＲ装置７０に対して停止（ＳＴＯＰ）指示を出す。その後、Ｓ９８０において、今度は「テープＯＫ」をコマンダ１側へ返答する。このテープＯＫが返答された場合、コマンダ１では、上述した図７のＳ５３０にて肯定判断となる。
【００９１】
このような図９の処理を実行することでテープチェックができる点についてさらに説明する。
まず、図９に示すような記録時間及び信号が予め記録された専用のビデオテープ１００を用いた場合について説明する。上述したように、本実施例のビデオテープ１００をＶＴＲ装置７０にて早送りあるいは巻き戻した場合、いずれの場合もそれぞれ約４０秒で早送りあるいは巻き戻される。したがって、図９のＳ８１０，Ｓ８２０に示すように６０秒間巻き戻されると、必ず最初まで巻き戻される。したがって、その状態でビデオテープ１００を再生すれば、最初から所定時間分は記憶されている信号Ａが再生され、必ず検出できることとなる。これにより、市販の生テープが不正に用いられていれば信号Ａが検出されず、テープエラーがコマンダ１側へ返答されることとなる（Ｓ９００）。
【００９２】
そして、ここで検出された信号Ａからテープ種別が判り、そのテープ種別に応じたタイプ選択などがなされる。
一方、例えば、非専用テープとして、例えば一般的に普及している６０分や１２０分の記録時間のビデオテープなどを用い、専用テープであるビデオテープ１００をダビングしたものについて説明する。この場合には、信号Ａについては同様に検出できるが、信号Ｂについては検出が不可能となる。なぜなら、図９のＳ８７０〜Ｓ９２０に示すように、本実施例の場合には、１２０秒間早送りした後で６０秒間巻き戻し、その後に３０秒間再生してから、信号Ｂが検出されるかどうかを判断している。１２０秒間早送りすればテープ最後まで行き、６０秒間巻き戻せばテープ最初まで戻る、したがって、その後に３０秒間再生した場合、テープ最初から３０秒間再生した位置となる。
【００９３】
これに対して、記録時間が６０分や１２０分の市販ビデオテープの場合には、１２０秒間早送りしても最後まで巻き送られず、その後６０秒間巻き戻されてもテープの最初までは戻らない。つまり、差し引くと、テープ最初から３０秒間「早送り」した位置になる。信号Ｂはテープ最初から３０秒間「再生」した位置に記録されているため、このような非専用テープを用いた不正使用の場合には信号Ｂが検出されない。このようにすることで簡易的なライトプロテクトが実現され、不正使用を防止することができる。
【００９４】
このように不正使用が適切に防止できれば、専用テープであるビデオテープ１００に例えばサービス料金や著作権料（複製使用料）を転嫁して徴収することができる。もちろん、使用実績を正確に把握すれば、それに基づいて料金回収は可能であるが、いわゆる後払い制よりは前払い制の方が好ましい。そのため、例えば本実施例のカラオケビデオ記録装置を購入して営業しているカラオケボックスの経営者に、専用テープであるビデオテープ１００を購入させ、それをカラオケビデオ録画システムの利用者に販売してサービスを受けさせることができる。
【００９５】
以上説明した処理が実行されることにより、コマンダ１からは、選択されたタイプに応じた映像信号及び音声信号が順次録画制御装置５０側へ出力されていく。そして、録画制御装置５０がそれらの映像信号及び音声信号を適宜調整した上でＶＴＲ装置７０側へ出力する。ＶＴＲ装置７０では、録画制御装置５０から入力した映像信号及び音声信号を図示しない録画録音機構を用いて、装着されたビデオテープ１００に記録していく。これにより、利用者は所望のタイプによるカラオケビデオが記録されたビデオテープ１００を取得することができる。このように、従来のカラオケ装置を基に工夫することで、利用者がカラオケ演奏を伴奏として歌唱しているところを、映像と音声にて記録したビデオテープ１００を得るという新規サービスを実現できる。
【００９６】
そして、このビデオテープ１００への記録がなされる本番処理の前に、記録はしないが本番と同様の手順にてリハーサル処理が行われる。これにより、例えばいきなり自己紹介を促されたり、予期しない質問がされることにより、その回答にとまどってしまい、十分な回答がされない内に次の処理に移行してしまうことが少なくなる。したがって、基本的にはやり直しがきかないカラオケビデオの作成において、利用者がリハーサルを体験できることは有益である。
【００９７】
また、本実施例においては、カラオケビデオを作成するにあたり、カラオケ演奏中以外においては、エフェクトを解除するようにしている。例えば「エコー」や「ボイスチェンジ」などのエフェクタを付与した場合、カラオケ演奏時には効果的であるが、感想やメッセージなどを述べる場合にはふさわしくない場合もある。したがって、カラオケ演奏時以外はエフェクト解除としている。もちろん、カラオケ演奏以外の部分においても積極的に音響的効果を付与したい場合もあるかもしれないので、利用者が操作パネル１２を直接操作すれば、カラオケ演奏時以外でもエフェクタを有効とするようにしてもよい。
【００９８】
また、本実施例においては、信号Ａによってテープ種別を判断し、例えばオーディション用のテープにはオーディション用のカラオケビデオのみしか作成できないようにされている。このため、例えばオーディション用のテープはテープ価格を無料としても、別の用途に援用はされない。したがって、広告主としては、広告を入れておく代わりにテープ価格を肩代わりしても不利益が生じない。
【００９９】
ところで、ビデオテープ１００内に広告を予め記録しておく場合には、その広告内容によっては有効期間が限定されるものも考えられる。したがって、有効期間が過ぎたものは使用されないことが望まれる。したがって、例えば信号Ａにこの有効期間も含めておくことも考えられる。ＤＴＭＦ信号であれば、容易に有効期間を示すことができる。さらには、信号Ａ中にビデオテープ１００個別に設定されたシリアル番号も含めておいても構わない。このシリアル番号は例えば製造番号でよく、主に管理のために用いられる。例えばカラオケビデオのログ情報を記憶しておく場合に、ログ情報にこのシリアル番号も含めておけばよい。
【０１００】
また、上記実施例では信号Ａの具体例としてＤＴＭＦ信号を用いたものを挙げたが、それ以外にも、例えば１ＫＨｚ，２ＫＨｚ，３ＫＨｚの組み合わせが「１」を表し、１．１ＫＨｚ，２ＫＨｚ，３ＫＨｚの組み合わせが「２」を表すというように、独自に数個の周波数を組み合わせた独自信号であってもよい。
【０１０１】
また、上記実施例においては、構成説明において述べたように、現状を考慮し、従来からカラオケ装置として普及しているコマンダ１と、例えばテレビ番組などを録画し、再生するため家庭用としても普及している通常のＶＴＲ装置７０を用いた構成例として説明した。この場合には、既存の設備を有効利用できる点で好ましい。
【０１０２】
もちろん、コマンダ１に録画制御装置５０の機能を加えて一つの装置として構成することもできるし、さらにＶＴＲ装置７０の機能も加えて一つの装置として構成してもよい。
【図面の簡単な説明】
【図１】  実施例のカラオケビデオ記録システムの内、主にコマンダの構成を示すブロック図である。
【図２】  実施例のカラオケビデオ記録システムの内、主に録画制御装置及びＶＴＲ装置の構成を示すブロック図である。
【図３】  実施例のコマンダにおいて実行されるメイン処理を示すフローチャートである。
【図４】  メイン処理中で実行されるカラオケビデオ記録処理の前半を示すフローチャートである。
【図５】  メイン処理中で実行されるカラオケビデオ記録処理の後半を示すフローチャートである。
【図６】  カラオケビデオ記録処理中で実行されるリハーサル処理ルーチンの前半を示すフローチャートである。
【図７】  カラオケビデオ記録処理中で実行されるリハーサル処理ルーチンの後半を示すフローチャートである。
【図８】  カラオケビデオ記録処理中で実行される本番処理ルーチンを示すフローチャートである。
【図９】  実施例の録画制御装置にて実行されるテープチェック処理の前半を示すフローチャートである。
【図１０】  実施例の録画制御装置にて実行されるテープチェック処理の後半を示すフローチャートである。
【図１１】  実施例のビデオテープの記録時間及び予め記憶されている信号などについての説明図である。
【図１２】  実施例のビデオテープに記録されているＤＴＭＦ信号の周波数構成を示す説明図である。
【符号の説明】
１…コマンダ                  １０…マイコン
１１…モデム部                  １２…操作パネル
１３…カレンダクロック          １５…通信部
２１…マイクロフォン            ２２…音声入力部
２３…採点装置                  ２４…ＭＩＤＩ再生部
２５…音声制御部                ２６…音声出力部
２７…スピーカ                  ３１…ビデオカメラ
３２…映像入力部                ３３…映像データ作成装置
３４…映像制御部                ３５…映像出力部
３６…ディスプレイ
５０…録画制御装置              ５１…音声入力部
５２…通信部                    ５３…映像入力部
５４…出力調整部                ５５…マイコン
５６…リモコン発光部            ５７…音声出力部
５８…映像出力部                ５９…ＤＴＭＦレシーバ
６１…音声出力部                ６２…（音声信号用の）セレクタ
６３…映像出力部                ６４…（映像信号用の）セレクタ
７０…ＶＴＲ装置                ７１…音声入力部
７２…映像入力部                ７３…音声出力部
７４…リモコン受光部            ７５…映像出力部
１００…ビデオテープ
【図１】
0003653983.tif 000002
【図２】
0003653983.tif 000003
【図３】
0003653983.tif 000004
【図４】
0003653983.tif 000005
【図５】
0003653983.tif 000006
【図６】
0003653983.tif 000007
【図７】
0003653983.tif 000008
【図８】
0003653983.tif 000009
【図９】
0003653983.tif 000010
【図１０】
0003653983.tif 000011
【図１１】
0003653983.tif 000012
【図１２】
0003653983.tif 000013